(57)【要約】      （修正有）【課題】ハンモックを吊り下げる作業が容易となるハンモック用金具を提供する。【解決手段】ハンモック用金具１００は、上方に立設し、左右方向に配列された一対の支柱１２と、一対の支柱１２の間に配置され、人体が横たわることが可能なハンモックと、を備えるハンモックセットにおいて、ハンモックを、一対の支柱１２に吊り下げ、ハンモックを吊り下げる紐部２２を保持し、ハンモックの長辺方向に延びる紐保持部１１０と、紐保持部１１０と連結され、支柱１２と係合する係合部１２０と、を備え、係合部１２０は、鉤形状に形成された爪部と、ハンモックの長辺方向に対して直交する面において回動し、爪部と係合して、爪部とにより閉鎖された環を形成する片部と、を有し、片部を回動させることで、環を開閉可能とする。【選択図】図３
0003195590.tif 000002
【実用新案登録請求の範囲】
【請求項１】
上方に立設し、左右方向に配列された一対の支柱と、一対の前記支柱の間に配置され、人体が横たわることが可能なハンモックと、を備えるハンモックセットにおいて、前記ハンモックを、一対の前記支柱に吊り下げるハンモック用金具であって、
前記ハンモックを吊り下げる紐を保持し、前記ハンモックの長辺方向に延びる紐保持部と、
前記紐保持部と連結され、前記支柱と係合する係合部と、を備え、
前記係合部は、
鉤形状に形成された爪部と、
前記ハンモックの長辺方向に対して直交する面において回動し、前記爪部と係合して、前記爪部とにより閉鎖された環を形成する片部と、を有し、
前記片部を回動させることで、前記環を開閉可能とするハンモック用金具。
【請求項２】
一対の前記支柱の上端側には、円柱体が前記ハンモックの長辺方向に対して直交する方向に湾曲して形成され、下方に膨出する円弧形状の上向側縁を有するフックがそれぞれ設けられ、
前記係合部は、
前記フックの前記上向側縁の上から直交した状態で引っ掛けられる閉鎖した環形状のリングを、更に備え、
前記片部を回動させることで、前記環を開き、前記リングに爪部を引っ掛ける請求項１に記載のハンモック用金具。
【請求項３】
前記紐保持部は、前記ハンモックの長辺方向に延び、前記紐が通される紐通し溝を有し、
前記紐通し溝は、前記紐の直径と略同じ高さで形成されている請求項１又は２に記載のハンモック用金具。
【考案の詳細な説明】
【技術分野】
【０００１】
本考案は、ハンモック用金具に関し、特に、上方に立設し、左右方向に配列された一対の支柱と、一対の前記支柱の間に配置され、人体が横たわることが可能なハンモックと、を備えるハンモックセットにおいて、ハンモックを、一対の支柱に吊り下げるハンモック用金具に関する。
【背景技術】
【０００２】
従来、ハンモックは、両端部を柱や梁や樹木に係止して吊り下げて使用していた。
このため、ハンモックを吊り下げるための柱等がないと使用できないので、使用したい場所で自由に使用することができないという問題があった。
【０００３】
そこで、ハンモック本体の長辺方向の両端部に、脚部を配置し、この脚部の上端部に着脱自在であり且つ装着時に同上端部間を連結する連結具を備え、同連結具にハンモック本体を吊り下げる係止部を設け、連結具に係止部を取り付け可能な取り付け孔を形成し、この取り付け孔に、ハンモック本体の長手方向両端部におけるリング状の係止具を取り付けてハンモック本体を支持具で係止して吊り下げるハンモック装置が提案されている（特許文献１参照）。
特許文献１のハンモック装置によれば、ハンモック本体を張る場所を選ばず、所望とする箇所であれば、柱や木等のない場所でもハンモック本体を設置できる。
【先行技術文献】
【特許文献】
【０００４】
【特許文献１】特開平７−１９４４３１号公報
【考案の概要】
【考案が解決しようとする課題】
【０００５】
しかしながら、特許文献１のハンモック装置は、ハンモック本体を連結具に取り付ける際、ハンモック本体を持ち上げつつ係止具を掴み、この係止具の向きを調整しつつ、連結具の取り付け孔に、係止具を差し込まなければならず、このため、ハンモック本体を吊り下げる作業が容易ではない。
【０００６】
本考案は、ハンモックを吊り下げる作業が容易となるハンモック用金具を提供することを目的とする。
【課題を解決するための手段】
【０００７】
（１）  上方に立設し、左右方向に配列された一対の支柱と、一対の前記支柱の間に配置され、人体が横たわることが可能なハンモックと、を備えるハンモックセットにおいて、前記ハンモックを、一対の前記支柱に吊り下げるハンモック用金具であって、
前記ハンモックを吊り下げる紐を保持し、前記ハンモックの長辺方向に延びる紐保持部と、
前記紐保持部と連結され、前記支柱と係合する係合部と、を備え、
前記係合部は、
鉤形状に形成された爪部と、
前記ハンモックの長辺方向に対して直交する面において回動し、前記爪部と係合して、前記爪部とにより閉鎖された環を形成する片部と、を有し、
前記片部を回動させることで、前記環を開閉可能とするハンモック用金具。
【０００８】
（１）の構成によれば、ハンモック用金具は、上方に立設し、左右方向に配列された一対の支柱と、一対の支柱の間に配置され、人体が横たわることが可能なハンモックと、を備えるハンモックセットにおいて、ハンモックを、一対の前記支柱に吊り下げ、紐保持部と、係合部と、を備える。
紐保持部は、ハンモックを吊り下げる紐を保持し、ハンモックの長辺方向に延びる。
係合部は、紐保持部と連結され、支柱と係合し、爪部と、片部と、を有する。
爪部は、鉤形状に形成されている。
片部は、ハンモックの長辺方向に対して直交する面において回動し、爪部と係合して、爪部とにより閉鎖された環を形成する。
そして、ハンモック用金具は、片部を回動させることで、環を開閉可能とする。
【０００９】
これにより、ハンモックセットの使用者は、片部を回動させ、環を開いて支柱に近接させ、所定位置に係合部を係合させるだけで、細かい微調整をすることなく、ハンモックを支柱に吊り下げることができる。
したがって、ハンモックを吊り下げる作業が容易となるハンモック用金具を提供できる。
【００１０】
（２）  一対の前記支柱の上端側には、円柱体が前記ハンモックの長辺方向に対して直交する方向に湾曲して形成され、下方に膨出する円弧形状の上向側縁を有するフックがそれぞれ設けられ、
前記係合部は、
前記フックの前記上向側縁の上から直交した状態で引っ掛けられる閉鎖した環形状のリングを、更に備え、
前記片部を回動させることで、前記環を開き、前記リングに爪部を引っ掛ける（１）に記載のハンモック用金具。
【００１１】
（２）の構成によれば、一対の支柱の上端側には、円柱体がハンモックの長辺方向に対して直交する方向に湾曲して形成され、下方に膨出する円弧形状の上向側縁を有するフックがそれぞれ設けられ、
係合部は、フックの上向側縁の上から直交した状態で引っ掛けられる閉鎖した環形状のリングを、更に備え、片部を回動させることで、環を開き、リングに爪部を引っ掛ける。
【００１２】
これにより、ハンモックセットの使用者は、まず、リングを支柱の上端側に形成されたフックに引っ掛け、片部を回動させて環を開き、このリングに爪部を引っ掛ける。
よって、ハンモックセットの使用者は、係合部をフックまで持ち上げることなく、リングに爪部を引っ掛けるだけで、ハンモックを支柱に吊り下げることができる。
したがって、ハンモックを吊り下げる作業がより容易となるハンモック用金具を提供できる。
【００１３】
（３）  前記紐保持部は、前記ハンモックの長辺方向に延び、前記紐が通される紐通し溝を有し、
前記紐通し溝は、前記紐の直径と略同じ高さで形成されている（１）又は（２）に記載のハンモック用金具。
【００１４】
（３）の構成によれば、紐通し溝に通されたハンモックを吊り下げる紐が、紐通し溝の内部で入れ替わることがないので、この紐がよれたり、絡んだりし、ハンモックの使用感が低下するのを防止できる。
【考案の効果】
【００１５】
本考案によれば、ハンモックを吊り下げる作業が容易となるハンモック用金具を提供できる。
【図面の簡単な説明】
【００１６】
【図１】本考案の一実施形態に係るハンモック用金具１００が適用されたハンモックセット１の斜視図である。
【図２】前記実施形態に係るスタンド１０の斜視図である。
【図３】前記実施形態に係るスタンド１０とハンモック用金具１００を含む吊り下げ部２０とが係合する部分の説明図である。
【図４】前記実施形態に係るハンモック用金具１００の正面図である。
【図５】前記実施形態に係るハンモック用金具１００の側面図である。図５（ａ）は、爪部１２１と片部１２２とが係合した状態を示している。図５（ｂ）は、爪部１２１と片部１２２とが開いた状態を示している。
【考案を実施するための形態】
【００１７】
本考案の実施形態に係るハンモック用金具１００の構成を図面に基づいて説明する。
図１は、本考案の一実施形態に係るハンモック用金具１００が適用されたハンモックセット１の斜視図である。
図１中の点線は、ハンモック３０に横たわる使用者の外形を示している。
ハンモックセット１は、スタンド１０と、一対のハンモック用金具１００を含む吊り下げ部２０と、ハンモック３０と、クッション４０と、を備える。
【００１８】
図２は、前記実施形態に係るスタンド１０の斜視図である。
スタンド１０は、一対のベース１１と、一対の支柱１２と、横架部材１３と、を備える。
一対のベース１１は、前後方向に延びる棒状体で形成され、設置面（例えば、床面や地盤面等）において、左右方向に所定間隔で配置されている。
なお、一対のベース１１は、例えば、４本の脚と、これらを互いに連結する連結部材とで構成してもよい。このように、一対のベース１１は、少なくとも４点接地できれば、任意の構成とすることができる。
【００１９】
一対の支柱１２は、それぞれ一対のベース１１の略中央から、互いに離れるように斜め上方に立設する棒状体で形成されている。即ち、一対の支柱１２は、前面側から視て、逆八の字形状を形成している。
【００２０】
一対の支柱１２の上端側には、円柱体を左右方向に湾曲させてＵの字形状に形成されたフック１４がそれぞれ設けられている。
図３は、前記実施形態に係るスタンド１０とハンモック用金具１００を含む吊り下げ部２０とが係合する部分の説明図である。
フック１４は、下方に膨出する円弧形状の上向側縁１４１を有する。
【００２１】
図２に戻って、横架部材１３は、左右方向に延びる棒状体で形成され、一対の支柱１２の間において、ハンモック３０（図１参照）に当接しない高さに配置され、一対の支柱１２を互いに連結する。
【００２２】
一対の吊り下げ部２０は、図１に示すように、ハンモック３０をそれぞれ一対の支柱１２から吊り下げる。
図３に示すように、吊り下げ部２０は、リング２１と、ハンモック用金具１００と、紐部２２と、カバー２３（図３においては点線で外形のみを示している）と、を有する。
【００２３】
リング２１は、円柱体が環形状に形成され、フック１４と係合する。
リング２１は、円柱体が前後方向（図１に示す前後方向）に湾曲して形成され、上方に膨出する円弧形状の下向側縁２１ａが形成されている。
リング２１は、フック１４の上向側縁１４１の上から直交した状態で引っ掛けられる。これにより、下向側縁２１ａの下側頂点は、フック１４における上向側縁１４１の上側頂点と係合する。
【００２４】
図４は、前記実施形態に係るハンモック用金具１００の正面図である。
図５は、前記実施形態に係るハンモック用金具１００の側面図である。図５（ａ）は、爪部１２１と片部１２２とが係合した状態を示している。図５（ｂ）は、爪部１２１と片部１２２とが開いた状態を示している。
ハンモック用金具１００は、紐保持部１１０と、係合部１２０と、を備える。
【００２５】
紐保持部１１０は、ハンモック３０（図１参照）を吊り下げる紐部２２を保持し、ハンモック３０の長辺方向（図１中前後方向）に延びる。
図４に示すように、紐保持部１１０は、ハンモック３０（図１参照）の長辺方向（図１中前後方向）に延び、紐部２２が通される紐通し溝１１１を有する。
紐通し溝１１１は、紐部２２の直径と略同じ高さで形成されている。
【００２６】
係合部１２０は、図３に示すように、紐保持部１１０と連結され、支柱１２のフック１４とリング２１を介して係合し、図４に示すように、爪部１２１と、片部１２２と、を有する。
【００２７】
図５に示すように、爪部１２１は、鉤形状に形成され、一端が紐保持部１１０と接続され、他端が片部１２２と当接可能に構成されている。
【００２８】
片部１２２は、ハンモック３０（図１参照）の長辺方向（図１中前後方向）に対して直交する面において回動し、爪部１２１と係合して、爪部１２１とにより閉鎖された環１２０ａを形成する。
片部１２２は、逆鉤形状に形成され、一端が爪部１２１の先端側において、回動自在に連結され、他端が爪部１２１の他端に当接するように付勢されている。
また、片部１２２には、その中間部に使用者に操作される突起１２２ａが環１２０ａの中心から延びる放射方向に突出して形成されている。
【００２９】
通常時において、片部１２２は、その一端が爪部１２１の他端に当接するように付勢されているので、環１２０ａは閉じた状態である。
使用者は、突起１２２ａを下方に押圧することで、片部１２２を爪部１２１の一端側を中心に回動させ、環１２０ａを開き、環１２０ａの中にリング２１（図３参照）の縁を通すことができる。
【００３０】
図３に戻って、紐部２２は、１本の紐状体で形成され、ハンモック用金具１００の紐保持部１１０の紐通し溝１１１と、ハンモック３０（図１参照）の側縁と、に交互に挿通されている。
カバー２３は、リング２１の下向側縁２１ａ以外の部分及びハンモック用金具１００を覆う。
【００３１】
以上のように、ハンモック３０の側縁に挿通された紐部２２を、一対のハンモック用金具１００の紐通し溝１１１にそれぞれ巻き回し、これら一対のハンモック用金具１００を一対の支柱１０のフック１４と、リング２１を介してそれぞれ係合させることで、ハンモック３０をスタンド１０から吊り下げる。
【００３２】
ハンモック３０は、図１に示すように、スタンド１０の一対の支柱１２の間に配置され、人体が横たわることが可能に構成され、その左右側側縁において、所定間隔毎に、紐部２２が連結されている。
【００３３】
図１に示すように、クッション４０は、ハンモック３０の本体３１の上に載置され、使用者の頭部を支持する頭部用クッション４１と、使用者の背中を支持する背中用クッション４２と、使用者の臀部を支持する臀部用クッション４３と、を備える。
頭部用クッション４１は、本体３１に面ファスナにより固定されている。これにより、本体３１の後方側を前方側より上に配置しても、頭部用クッション４１が下方に落下しない。
【００３４】
次に、本実施形態に係るハンモック用金具１００を用いたハンモックセット１の組み立て手順を説明する。
まず、使用者は、ハンモック３０に紐部２２を介して、ハンモック用金具１００を取り付ける。具体的には、ハンモック用金具１００の紐保持部１１０の紐通し溝１１１と、ハンモック３０（図１参照）の側縁と、に交互に紐部２２を挿通させる。
次に、使用者は、リング２１をスタンド１０の一対の支柱１２の上端側に形成されたフック１４に引っ掛ける。
そして、ハンモック用金具１００において、突起１２２ａを下方に押圧し、片部１２２を爪部１２１の一端側を中心に回動させ、環１２０ａを開き、環１２０ａの中にリング２１（図２参照）の縁を通す。これにより、ハンモック３０をスタンド１０に吊り下げることができる。
【００３５】
次に、本実施形態に係るハンモック用金具１００の作用効果について説明する。
本実施形態によれば、ハンモックセット１の使用者は、片部１２２を回動させ、環１２０ａを開いて支柱１２に近接させ、所定位置に係合部１２０を係合させるだけで、細かい微調整をすることなく、ハンモック３０を支柱１２に吊り下げることができる。
したがって、ハンモックを吊り下げる作業が容易となるハンモック用金具を提供できる。
【００３６】
また、フック１４にリング２１を掛けることで、ハンモックセット１の使用者は、係合部１２０をフック１４まで持ち上げることなく、リング２１に爪部１２１を引っ掛けるだけで、ハンモック３０を支柱１２に吊り下げることができる。
したがって、ハンモックを吊り下げる作業がより容易となるハンモック用金具を提供できる。
【００３７】
また、紐通し溝１１１を紐部２２の直径と略同じ高さで形成したので、紐通し溝１１１に通されたハンモック３０を吊り下げる紐部２２が、紐通し溝１１１の内部で入れ替わることがないので、この紐部２２がよれたり、絡んだりし、ハンモック３０の使用感が低下するのを防止できる。
【００３８】
なお、本考案は前記実施形態に限定されるものではなく、本考案の目的を達成できる範囲での変形、改良等は本考案に含まれるものである。
【符号の説明】
【００３９】
１      ハンモックセット
１０    スタンド
１１    ベース
１２    支柱
１３    横架部材
１４    フック
２０    吊り下げ部
２１    リング
２１ａ  下向側縁
２２    紐部
２３    カバー
３０    ハンモック
４０    クッション
１００  ハンモック用金具
１１０  紐保持部
１１１  紐通し溝
１２０  係合部
１２０ａ  環
１２１  爪部
１２２  片部
１２２ａ  突起
１４１  上向側縁
２１１ａ  下向側縁
【図１】
0003195590.tif 000003
【図２】
0003195590.tif 000004
【図３】
0003195590.tif 000005
【図４】
0003195590.tif 000006
【図５】
0003195590.tif 000007